(57)【要約】【課題】  プリントアウトした文書に変更を加えた文書をスキャンする作業が繰り返される環境下であっても、電子ファイル内の印影のデータの周縁に発生する背景色の黄ばみやごみ印字の発生を防止して電子ファイル内の印影が見にくくなることを防止する。【解決手段】  印影を含む電子ファイルと、印影のデータとをマッチングして、該電子ファイルから印影のデータを含む矩形領域を切り出す差分データ生成部1mと、切り出された矩形領域に含まれ、印影の存在しない領域の背景色を除去するデータ加工部1nと、背景色を除去した印影を含む矩形領域のデータと、印影のデータを含まない他の電子ファイルのデータとを、該電子ファイル内における印影のデータの位置座標が印影を含む電子ファイル内における位置座標と一致するように合成して、印影のデータを含む更に他の電子ファイルを生成するデータ合成部1oとを備える。【選択図】    図１
2008271445.tif 000002
【特許請求の範囲】
【請求項１】
入力された印影のデータを含む第１の電子ファイルと、予め定められた印影のデータとをマッチングして、前記第１の電子ファイルからこの第１の電子ファイルに含まれる印影のデータを含む第１の領域を切り出す印影データ切り出し手段と、
前記印影データ切り出し手段によって切り出された第１の領域に含まれ、前記印影の存在しない第２の領域の背景色を除去する背景色除去手段と、
前記印影のデータを含まない第２の電子ファイルのデータが記憶された文書データ記憶手段と、
前記背景色除去手段により背景色を除去した印影を含む第１の領域のデータと、前記文書データ記憶手段に記憶された第２の電子ファイルのデータとを、この第２の電子ファイル内における印影のデータの位置座標が前記第１の電子ファイル内における位置座標と一致するように合成して、前記印影のデータを含む第３の電子ファイルを生成する電子ファイル生成手段と
を備える画像形成装置。
【請求項２】
印影のデータを含む第１の電子ファイルと、記憶手段に記憶され、前記印影のデータを含まない第２の電子ファイルのデータとから、前記印影のデータを含む第３の電子ファイルを生成する画像形成装置にインストールされた画像形成プログラムであって、
前記画像形成装置のコンピュータに、
入力された印影のデータを含む第１の電子ファイルと、予め定められた印影のデータとをマッチングして、前記第１の電子ファイルからこの第１の電子ファイルに含まれる印影のデータを含む第１の領域を切り出す印影データ切り出し機能、
前記印影データ切り出し機能によって切り出された第１の領域に含まれ、前記印影の存在しない第２の領域の背景色を除去する背景色除去機能、
前記背景色除去機能により背景色を除去した印影を含む第１の領域のデータと、前記記憶手段に記憶され、前記印影のデータを含まない第２の電子ファイルのデータとを、この第２の電子ファイル内における印影のデータの位置座標が前記第１の電子ファイル内における位置座標と一致するように合成して、前記印影のデータを含む第３の電子ファイルを生成する電子ファイル生成機能
を実現させるための画像形成プログラム。
【発明の詳細な説明】
【技術分野】
【０００１】
本発明は、印影のデータを含まない電子ファイルと印影のデータとから印影のデータを含む電子ファイルを生成する画像形成装置及び画像形成プログラムに関する。
【背景技術】
【０００２】
近年、「民間事業者等が行う書面の保存等における情報通信の技術の利用に関する法律」及び「民間事業者等が行う書面の保存等における情報通信の技術の利用に関する法律の施行に伴う関係法律の整備等に関する法律」、いわゆるｅ―文書法の施行に伴い、紙媒体による文書に代えて電子化された文書が用いられるようになってきている。
【０００３】
かかる電子化された文書のデータに各種処理を施す機能を備えた画像形成装置としては、例えば、文字、白地、絵柄等の画像種に応じて領域を分割し、分割した領域毎に適合するフィルタ処理や所定のガンマ補正を行う画像形成装置が知られている（特許文献１参照）。
【０００４】
また、電子化された文書のデータの劣化を抑止する機能を備えた画像形成装置としては、例えば外部出力機器の出力特性に合わせて画像を出力する画像形成装置が知られている（特許文献２参照）。
【０００５】
【特許文献１】特開２００４−１１２５６１
【特許文献２】特開２００６−０９４４２５
【発明の開示】
【発明が解決しようとする課題】
【０００６】
かかる画像形成装置を用いて電子ファイル形式の文書を扱う場合であっても、一回きりのスキャナ等による文書の読み込み操作や、読み込んだ文書の電子ファイルをコンピュータで保存するときには、特に支障はないと考えられる。
【０００７】
しかしながら、一般的なビジネスの現場では、承認や決済等を行うときには、サインの加筆、承認印の捺印等といった種々の変更が文書に加えられる場合が多い。
【０００８】
特に、紙の文書を廃止して印影が含まれる全ての文書を電子ファイルで保存する環境では、承認や決済等を行う度に電子ファイルのデータをプリントアウトし、プリントアウトした文書に捺印等の変更を加えた文書をスキャンする作業が頻繁に繰り返されるので、スキャンした文書のデータの原本の紙の色、素材、スキャンした際の光の漏れ等に起因して入力された文書の電子ファイル内の印影のデータの周縁の背景色が黄ばんだり、スキャンした際や印刷時における解像度や原本のずれに起因して電子ファイル内の印影の周縁にごみ印字が発生したりして電子ファイル内の印影が見にくくなったりする可能性がある。
【０００９】
本発明者の電子文書に関する考察によれば、紙の文書を廃止して印影が含まれる全ての文書を電子ファイルで保存する環境を早期に実現するため、かかる文書の電子ファイル内の印影の周縁に発生する背景色の黄ばみやごみ印字の発生を防止して電子ファイル内の印影が見にくくなることを防止することを可能にする画像形成装置及び画像形成プログラムに関する産業界の要望が高まっている。
【００１０】
そこで、本発明は、プリントアウトした文書に変更を加えた文書をスキャンする作業が頻繁に繰り返される環境下であっても、電子ファイル内の印影のデータの周縁に発生する背景色の黄ばみやごみ印字の発生を防止して電子ファイル内の印影が見にくくなることを防止することを可能にする画像形成装置及び画像形成プログラムを提供することを目的とする。
【課題を解決するための手段】
【００１１】
本発明の骨子は、「第１の電子ファイルから切り出した印影のデータと、印影データを含まない第２の電子ファイルとから印影データを含む第３の電子ファイルを生成する」構成により、プリントアウトした文書に変更を加えた文書をスキャンする作業が頻繁に繰り返される環境下であっても、電子ファイル内の印影のデータの周縁に発生する背景色の黄ばみやごみ印字の発生を防止して電子ファイル内の印影が見にくくなることを防止することを可能にするという特有の顕著な効果を達成することにある。
【００１２】
なお、本明細書内で「印影」とは「氏名若しくは名称等を示す字体が彫刻された彫刻面とこの彫刻面と略垂直な方向に載置された紙との接触面に形成され、前述した彫刻面に形成された字体とこの字体を外囲するように設けられた略多角形形状、略円形形状、又は略楕円形形状の外枠とを包含したもの」を意味する。
【００１３】
ここで、多角形とは、凸多角形及び凹多角形を包含する。
【００１４】
なお、本明細書内では、「劣化」とは、スキャンした文書のデータの原本の紙の色、素材、スキャンした際の光の漏れ等に起因して入力された印影を含む文書の電子ファイルの印影の周縁の背景色が黄ばんだり、スキャンした際や印刷時における解像度や原本のずれに起因して印影の周縁にごみ印字が発生したりして電子ファイル内の印影が見にくくなることを意味する。
【００１５】
さて、以上のような本発明の骨子は、具体的には以下のような手段を講じることにより実現される。
【００１６】
第１の発明は、入力された印影のデータを含む第１の電子ファイルと、予め定められた印影のデータとをマッチングして、第１の電子ファイルからこの第１の電子ファイルに含まれる印影のデータを含む第１の領域を切り出す印影データ切り出し手段と、印影データ切り出し手段によって切り出された第１の領域に含まれ、印影の存在しない第２の領域の背景色を除去する背景色除去手段と、印影のデータを含まない第２の電子ファイルのデータが記憶された文書データ記憶手段と、背景色除去手段により背景色を除去した印影を含む第１の領域のデータと、文書データ記憶手段に記憶された第２の電子ファイルのデータとを、この第２の電子ファイル内における印影のデータの位置座標が前記第１の電子ファイル内における位置座標と一致するように合成して、印影のデータを含む第３の電子ファイルを生成する電子ファイル生成手段とを備える画像形成装置である。
【００１７】
これにより、印影データ切り出し手段によって切り出された第１の領域に含まれ、印影の存在しない第２の領域の背景色が背景色除去手段により除去され、背景色除去手段により背景色の除去された印影のデータを含む第１の領域のデータと、印影のデータを含まない第２の電子ファイルのデータとが、この第２の電子ファイル内における印影のデータの位置座標が第１の電子ファイル内における位置座標と一致するように合成されて、印影のデータを含む第３の電子ファイルが電子ファイル生成手段によって生成されるので、プリントアウトした文書に変更を加えた文書をスキャンする作業が繰り返される環境下であっても、電子ファイル内の印影のデータの周縁に発生する背景色の黄ばみやごみ印字の発生を防止して電子ファイル内の印影が見にくくなることを防止することが可能になる。
【００１８】
第２の発明は、印影のデータを含む第１の電子ファイルと、記憶手段に記憶され、印影のデータを含まない第２の電子ファイルのデータとから、印影のデータを含む第３の電子ファイルを生成する画像形成装置にインストールされた画像形成プログラムであって、画像形成装置のコンピュータに、入力された印影のデータを含む第１の電子ファイルと、予め定められた印影のデータとをマッチングして、第１の電子ファイルからこの第１の電子ファイルに含まれる印影のデータを含む第１の領域を切り出す印影データ切り出し機能、印影データ切り出し機能によって切り出された第１の領域に含まれ、印影の存在しない第２の領域の背景色を除去する背景色除去機能、背景色除去機能により背景色を除去した印影を含む第１の領域のデータと、記憶手段に記憶され、印影のデータを含まない第２の電子ファイルのデータとを、この第２の電子ファイル内における印影のデータの位置座標が第１の電子ファイル内における位置座標と一致するように合成して、印影のデータを含む第３の電子ファイルを生成する電子ファイル生成機能を実現させるための画像形成プログラムである。
【００１９】
これにより、印影データ切り出し機能によって切り出された第１の領域に含まれ、印影の存在しない第２の領域の背景色が背景色除去機能により除去され、背景色除去機能により背景色の除去された印影のデータを含む第１の領域のデータと、印影のデータを含まない第２の電子ファイルのデータとが、この第２の電子ファイル内における印影のデータの位置座標が第１の電子ファイル内における位置座標と一致するように合成されて、印影のデータを含む第３の電子ファイルが電子ファイル生成機能によって生成されるので、プリントアウトした文書に変更を加えた文書をスキャンする作業が繰り返される環境下であっても、電子ファイル内の印影のデータの周縁に発生する背景色の黄ばみやごみ印字の発生を防止して電子ファイル内の印影が見にくくなることを防止することが可能になる。
【００２０】
なお、ここでは、説明の簡略化を図る観点から、本発明のうち「画像形成装置」、及び「画像形成プログラム」として表現された発明のみに関して説明を行ったが、これに限らず、本発明の要旨を変更しない範囲内で「画像形成方法」及び「記録媒体」等の任意のカテゴリーとして表現してもよいことは言うまでもない。
【００２１】
また、上記発明を「方法」として表現する場合には、上記「装置」の発明の説明中における「手段」という文言を「工程」、「段階」、又は「ステップ」と言う文言に読み替えるものとする。
【００２２】
更に、上記発明を「記録媒体」として表現する場合には、上記「プログラム」の発明中の「プログラム」という文言を「プログラムを記録したコンピュータ読み取り可能な記録媒体」と言う文言に読み替えるものとする。
【発明の効果】
【００２３】
本発明の画像形成装置及び画像形成プログラムによれば、プリントアウトした文書に変更を加えた文書をスキャンする作業が頻繁に繰り返される環境下であっても、電子ファイル内の印影のデータの周縁に発生する背景色の黄ばみやごみ印字の発生を防止して電子ファイル内の印影が見にくくなることを防止することを可能となる。
【発明を実施するための最良の形態】
【００２４】
以下、本発明の最良の形態に関し、図面を参照して説明する。
【００２５】
図１は、本発明の画像形成装置を適用した複合機１の一例を示す機能ブロック図である。
【００２６】
本発明に係る画像形成装置を適用した複合機１は、例えばＬＡＮ（Local Area Network）
やＷＡＮ（Wide Area Network）等の通信ネットワークを介して図示しない周知のパーソナルコンピュータや、図示しない他の複合機に接続された、ＦＡＸ機能、スキャナ機能、コピー機能、プリンター機能等を備える複合機である。
【００２７】
また、本実施の形態に係る複合機１は、図示しない操作釦、操作盤、又はタッチパネル等を含む表示器等のユーザーインターフェースの操作により印影を含む文書の取り込み操作がなされると、例えば図示しない原稿読み取り面や、原稿送り機構に載置された印影を含む文書のデータを図示しないフラットヘッド又はドラムを介して電子ファイルの形で取り込み、取り込んだ電子ファイルをＰＤＦ（Portable Document Format）形式に変換する前に、印影の周縁に発生した背景色の黄ばみや、取り込みの際に、印影の周縁に発生したノイズや、取り込み操作が繰り返し行われた際に印影の周縁に発生した文書データの劣化に起因して発生するごみ印字を低減する種々の補正処理を実行した後、ＰＤＦ形式のファイルに変換して、変換したＰＤＦ形式のファイルをＬＡＮやＷＡＮ等の通信ネットワークを介して接続されたパーソナルコンピュータや、他の複合機等の外部機器に対して出力するものである。
【００２８】
更に、本実施の形態に係る複合機１は、図示しない操作釦、タッチパネル等を含む表示器等のパネル部１ａや入力インターフェース１ｃ等の操作により文書の取り込み操作がなされると、図示しない原稿読み取り面又は原稿送り機構に載置された文書をスキャナ部１ｂが電子ファイルの形で取り込み、取り込まれた印影を含む文書の電子ファイル（第１の電子ファイル）が本実施の形態に係る複合機１のスキャンデータ取得部１ｌに入力されるように構成されている。
【００２９】
本実施の形態に係る複合機１は、図１に示すように、パネル部１ａ、スキャナ部１ｂ、入力インターフェース１ｃ、データ記憶部１ｄ、選択モード判定部１ｅ、データ名取得部１ｆ、電子文書取得部１ｇ、登録部１ｈ、文書名取得部１ｉ、データ取得部１ｊ、データコピー部１ｋ、スキャンデータ取得部１ｌ、差分データ生成部１ｍ、データ加工部１ｎ、データ合成部１o、ＰＤＦ生成部１ｐ、及び出力部１ｑを備えている。
【００３０】
なお、本実施の形態に係る複合機１は、製造時に図示しない内蔵メモリに画像形成プログラムが書き込まれた、又は記録媒体もしくは通信ネットワークを介して画像形成プログラムがインストールされたコンピュータによって実現される。
【００３１】
また、本実施の形態に係る複合機１を構成する各部は、ソフトウェアもしくはハードウェア又はハードウェアとソフトウェアとの組み合わせの何れから構成されていてもよいことは言うまでもない。
【００３２】
パネル部１ａは、タッチパネル上における操作者の操作によって、例えばＦＡＸ機能、スキャナ機能、コピー機能、及びプリンター機能の切り替え、文書のデータを読み取る際の解像度、作成する文書のデータを含む電子ファイルの形式、画質、読み取り時の濃度、読み取り倍率の設定、及び各モードの設定を行うものである。
【００３３】
本実施の形態に係るパネル部１ａは、ファイル登録命令出力機能、パターン登録命令出力機能、及び電子文書生成命令出力機能を有している。
【００３４】
ファイル登録命令出力機能は、印影を含まない文書の電子ファイル（第２の電子ファイル）のファイル名と、印影を含まない文書の電子ファイル（第２の電子ファイル）をデータ記憶部１ｄに記憶させるためのファイル登録命令との組を選択モード判定部１ｅに出力する機能である。
【００３５】
パターン登録命令出力機能は、入力インターフェース１ｃから操作者の操作により入力された印影のデータファイルのファイル名と、印影のデータファイルをデータ記憶部１ｄに記憶させるためのパターン登録命令との組を選択モード判定部１ｅに出力する機能である。
【００３６】
電子文書生成命令出力機能は、入力インターフェース１ｃから入力された印影のデータファイル及び印影を含まない文書の電子ファイル（第２の電子ファイル）のファイル名と、入力インターフェース１ｃから入力された印影のデータと印影を含まない文書の電子ファイル（第２の電子ファイル）とから印影のデータを含む文書の電子ファイルを生成させるための電子文書生成命令との組を選択モード判定部１ｅに出力する機能である。
【００３７】
スキャナ部１ｂは、スキャンデータ取得部１ｌから出力された取り込み開始命令を受け取ると、図示しない原稿読み取り面、又は原稿送り機構に載置された印影を含む文書のデータを図示しないドラム又はフラットヘッドを介して電子ファイル（第１の電子ファイル）として取り込み、取り込んだ印影を含む文書の電子ファイル（第１の電子ファイル）のデータをスキャンデータ取得部１ｌに出力する。
【００３８】
入力インターフェース１ｃは、図示しない他の複合機又はパーソナルコンピュータ等の外部機器、ＳＤメモリ、半導体フラッシュメモリ等の記録媒体から、操作者の操作により印影のデータファイル、及び印影を含まない文書の電子ファイル（第２の電子ファイル）の入力がなされるものであって、入力された印影のデータファイル及び印影を含まない文書の電子ファイル（第２の電子ファイル）を電子文書取得部１ｇに出力する。
【００３９】
データ記憶部（文書データ記憶手段）１ｄは、入力インターフェース１ｃから入力された印影のデータファイル又は印影を含まない文書の電子ファイル（第２の電子ファイル）と、それぞれのファイルに対応したファイル名とが対応して記憶されたファイル名記憶テーブル１ｄ１を有している。
【００４０】
図２は、本実施の形態に係るデータ記憶部１ｄが有するファイル名記憶テーブル１ｄ１の一例を示す図である。
【００４１】
本実施の形態に係るファイル名記憶テーブル１ｄ１では、図２に示すように、入力インターフェース１ｃから入力された印影のデータファイル又は印影を含まない文書の電子ファイル（第２の電子ファイル）（Ａ）と、それぞれのファイルに対応したファイル名（Ｂ）とが対応して記憶されている。
【００４２】
なお、本実施の形態に係るファイル名記憶テーブル１ｄ１には、更に他の情報、例えば「作成者」、「作成日」、「ファイルフォーマット」、「拡張子」、「ファイル圧縮の有無に関する情報」、「データの容量」、「ファイル属性に関する情報」等を対応して記憶させてもよいことは言うまでもない。
【００４３】
選択モード判定部１ｅは、選択モード判定機能と、ファイル名出力機能と、パターンファイル名出力機能と、文書取り込み命令出力機能と、生成開始命令出力機能とを有している。
【００４４】
選択モード判定機能は、パネル部１ａから受け取った命令の種別に基づいて、操作者の操作によって選択された操作モードを判定する機能である。
【００４５】
ファイル名出力機能は、前述した選択モード判定機能による判定の結果、パネル部１ａから受け取った命令の種別がファイル登録命令であった場合、換言すれば、操作モードがファイル登録モードである場合には、パネル部１ａから入力された、入力インターフェース１ｃから入力された印影を含まない電子ファイル（第２の電子ファイル）のファイル名のデータをデータ名取得部１ｆに出力する機能である。
【００４６】
パターンファイル名出力機能は、前述した選択モード判定機能による判定結果、パネル部１ａから受け取った命令の種別がパターン登録命令であった場合、換言すれば、操作モードがパターンファイル登録モードである場合には、パネル部１ａから入力された、入力インターフェース１ｃから入力された印影のデータファイルのファイル名のデータをデータ名取得部１ｆに出力する機能である。
【００４７】
文書取り込み命令出力機能は、前述した選択モード判定機能による判定の結果、パネル部１ａから受け取った命令の種別が電子文書生成命令であった場合、換言すれば、操作モードが電子文書生成モードである場合には、スキャナ部１ｂから入力された印影を含む文書のデータを取り込ませるための文書取り込み命令をスキャナ部に出力する機能である。
【００４８】
生成開始命令出力機能は、前述した選択モード判定機能による判定の結果、パネル部１ａから受け取った命令の種別が電子文書生成命令であった場合、印影を含まない文書の電子ファイル（第２の電子ファイル）と印影のデータとから、印影を含む文書の電子ファイル（第３の電子ファイル）を生成させるための生成開始命令と、パネル部１ａから入力された印影を含まない電子ファイル（第２の電子ファイル）のファイル名及び印影のデータファイルのファイル名との組を文書名取得部１iに出力する機能である。
【００４９】
データ名取得部１ｆは、選択モード判定部１ｅから出力された入力インターフェース１ｃから入力された印影を含まない電子ファイル（第２の電子ファイル）及び印影のデータファイルのファイル名を受けとり、受け取ったファイル名を登録部１ｈに出力する。
【００５０】
電子文書取得部１ｇは、入力インターフェース１ｃから入力された印影を含まない電子ファイル（第２の電子ファイル）及び印影のデータファイルを受け取り、受け取った印影を含まない電子ファイル（第２の電子ファイル）及び印影のデータファイルを登録部１ｈに出力する。
【００５１】
登録部１ｈは、データ名取得部１ｆから受け取った印影を含まない電子ファイル（第２の電子ファイル）のファイル名及び印影のデータファイルのファイル名と、電子文書取得部１ｇから受け取った印影を含まない電子ファイル（第２の電子ファイル）又は印影のデータファイルとを対応させてデータ記憶部１ｄに記憶させる。
【００５２】
なお、本実施の形態に係る複合機１に関し、データ名取得部１ｆ、電子文書取得部１ｇ、及び登録部１ｈを併せて、データ入力部と総称してもよいことは言うまでもない。
【００５３】
文書名取得部１ｉは、選択モード判定部１ｅから出力された印影のデータファイル及び印影を含まない文書の電子ファイル（第２の電子ファイル）のファイル名を受け取り、受け取った印影のデータファイル及び印影を含まない文書の電子ファイル（第２の電子ファイル）のファイル名をデータ取得部１ｊに出力する。
【００５４】
データ取得部１ｊは、ファイル読み出し機能と、読み出しファイル出力機能とを有する。
【００５５】
ファイル読み出し機能は、文書名取得部１iから出力された印影のデータファイル及び印影を含まない文書の電子ファイル（第２の電子ファイル）のファイル名を受け取り、受け取ったファイル名を検索キーとしてデータ記憶部１ｄを検索し、検索の結果、ファイル名に対応する印影を含まない文書の電子ファイル（第２の電子ファイル）及び印影のデータファイルを読み出す機能である。
【００５６】
読み出しファイル出力機能は、ファイル読み出し機能により読み出した印影を含まない文書の電子ファイル（第２の電子ファイル）及び印影のデータファイルをデータコピー部１ｋに出力する機能である。
【００５７】
データコピー部１ｋは、データ取得部１ｊから受け取った印影を含まない文書の電子ファイル（第２の電子ファイル）及び印影のデータファイルのコピーを生成し、生成したコピーを差分データ生成部１ｍに、マスターをデータ合成部１oにそれぞれ出力する。
【００５８】
なお、本実施の形態に係るデータコピー部１ｋは、データ取得部１ｊから受け取った印影を含まない文書の電子ファイル（第２の電子ファイル）及び印影のデータファイルのコピーを生成し、生成したコピーを差分データ生成部１ｍに、マスターをデータ合成部１oにそれぞれ出力していたが、これに限らず、印影を含まない文書の電子ファイル（第２の電子ファイル）及び印影のデータファイルのコピーを生成した後、マスターを差分データ生成部１ｍに、生成したコピーをデータ合成部１oに出力してもよいことは言うまでもない。
【００５９】
なお、本実施の形態に係る複合機１に関し、文書名取得部１ｉ、データ取得部１ｊ、及びデータコピー部１ｋを併せて、データロード部と総称してもよいことは言うまでもない。
【００６０】
スキャンデータ取得部１ｌは、選択モード判定部１ｅから出力された文書取り込み命令を受け取ると、スキャナ部１ｂに文書のデータを取り込むための取り込み開始命令を出力し、取り込み開始命令に応じてスキャナ部１ｂから取り込まれた印影を含む文書の電子ファイル（第１の電子ファイル）を受け取り、受け取った印影を含む文書の電子ファイル（第１の電子ファイル）を差分データ生成部１ｍに出力する。
【００６１】
差分データ生成部１ｍは、データ受信機能と、マッチング処理機能と、印影位置特定機能と、切り出し機能と、切り出しデータ出力機能とを有する。
【００６２】
データ受信機能は、データコピー部１ｋから出力された印影のデータファイル及び印影を含まない文書の電子ファイル（第２の電子ファイル）と、スキャンデータ取得部１ｌから出力された印影を含む文書の電子ファイル（第１の電子ファイル）とを受け取る機能である。
【００６３】
マッチング処理機能は、前述したデータ受信機能により受け取った印影のデータファイルに含まれるデータと、印影を含む文書の電子ファイル（第１の電子ファイル）とのマッチング処理を実行して、印影のデータと一致するデータが、印影を含む文書の電子ファイル（第１の電子ファイル）内にあるかを判定する機能である。
【００６４】
印影位置特定機能は、前述したマッチング機能による判定の結果、印影のデータと一致するデータが、印影を含む文書の電子ファイル（第１の電子ファイル）内にあると判定された場合、印影を含む文書の電子ファイル（第１の電子ファイル）内における印影のデータの位置座標を特定する機能である。
【００６５】
切り出し機能は、前述したマッチング機能による判定の結果、印影のデータと一致するデータが、印影を含む文書の電子ファイル（第１の電子ファイル）内にあると判定された場合、データコピー部１ｋから受け取った印影を含まない文書の電子ファイル（第２の電子ファイル）のデータと、スキャンデータ取得部１ｌから受け取った印影を含む文書の電子ファイル（第１の電子ファイル）との画像間演算を実行して印影のデータを含む差分画像を取得し、取得した差分画像と、前述した印影位置特定機能により特定済みの印影の位置座標とから印影のデータを含む矩形領域（第１の領域）のデータを切り出す機能である。
【００６６】
なお、本実施の形態に係る複合機１に関しては、マッチング処理機能、印影位置特定機能、及び切り出し機能が印影データ切り出し機能に該当する。
【００６７】
切り出しデータ出力機能は、前述した切り出し機能によって切り出した印影のデータを含む矩形領域（第１の領域）のデータと、印影位置特定機能により特定した印影を含む文書の電子ファイル（第１の電子ファイル）内における印影のデータの位置座標との組を、データ加工部１ｎに出力する機能である。
【００６８】
なお、本実施の形態に係る差分データ生成部１ｍは、印影を含む矩形データを切り出していたが、これに限らず、差分データ生成部１ｍが切り出す領域は、印影を含むものであれば、正方形、円形、楕円形、略多角形形状等の任意の形状であってもよい。ここで多角形には、凸多角形及び凹多角形を包含するものとする。
【００６９】
なお、本実施の形態に係る差分データ生成部１ｍは、印影のデータファイルに含まれるデータと、印影を含む文書の電子ファイル（第１の電子ファイル）とのマッチング処理を実行して、印影を含む文書の電子ファイル（第１の電子ファイル）内における印影のデータの位置座標を特定し、しかる後、印影を含む文書の電子ファイル（第１の電子ファイル）と印影を含まない電子ファイル（第２の電子ファイル）との差分画像を取得して、差分画像内から特定済みの印影の位置座標に基づいて、印影のデータを含む矩形領域のデータを切り出していたが、これに限らず、印影を含む文書の電子ファイル（第１の電子ファイル）と印影を含まない文書の電子ファイルとの画像間演算を行って、差分画像として印影のデータを取得した後、当該差分画像と、データコピー部１ｋから受け取った印影のデータとのマッチング処理を行って印影のデータと一致した場合に、差分画像から印影のデータを含む矩形領域のデータを切り出してもよいことは言うまでもない。
【００７０】
データ加工部１ｎは、背景色除去機能と、除去済みデータ出力機能とを有する。
【００７１】
背景色除去機能は、差分データ生成部１ｍから出力された印影のデータを含む矩形領域（第１の領域）のデータと、特定した印影のデータの印影を含む文書の電子ファイル（第１の電子ファイル）内における位置座標との組を受け取り、印影のデータを含む矩形領域（第１の領域）のデータから、この矩形領域（第１の領域）内に含まれ、印影の存在しない領域（第２の領域）、換言すれば、矩形領域（第１の領域）内に含まれ、印影の外枠よりも外側の領域（第２の領域）の背景色を除去する機能である。
【００７２】
除去済みデータ出力機能は、前述した背景色除去機能で背景色を除去した、印影を含む矩形領域（第１の領域）のデータと、印影を含む電子ファイル内における特定済みの印影の位置座標のテータとの組をデータ合成部に出力する機能である。
【００７３】
なお、本実施の形態に係るデータ加工部１ｎは、差分データ生成部１ｍから出力された印影のデータを含む矩形領域（第１の領域）のデータと、特定した印影のデータの印影を含む文書の電子ファイル（第１の電子ファイル）内における位置座標との組を受け取り、印影のデータを含む矩形領域（第１の領域）のデータから、この矩形領域（第１の領域）内に含まれ、印影の存在しない領域（第２の領域）、換言すれば、矩形領域（第１の領域）内に含まれ、印影の外枠よりも外側の領域（第２の領域）の背景色を除去していたが、これに限らず、印影のデータを含む矩形領域（第１の領域）に含まれ、印影の外枠よりも外側の領域（第２の領域）と、印影の外枠の内側で、かつ、印鑑の字体の形成されていない領域との背景色を除去する機能を更に有していてもよいことは言うまでもない。
【００７４】
データ合成部1oは、処理済みデータ受信機能と、電子ファイル生成機能と、生成ファイル転送機能とを有する。
【００７５】
処理済みデータ受信機能は、背景色を除去した矩形領域（第１の領域）と、印影を含む文書の電子ファイル（第１の電子ファイル）内における印影のデータの位置座標との組をデータ加工部１ｎから、印影を含まない文書の電子ファイル（第２の電子ファイル）のマスターをデータコピー部１ｋからそれぞれ受け取る機能である。
【００７６】
電子ファイル生成機能は、前述した処理済みデータ受信機能により受け取った、背景色を除去した印影を含む矩形領域（第１の領域）のデータと、印影のデータを含まない文書の電子ファイル（第２の電子ファイル）のデータとを、この印影のデータを含まない文書の電子ファイル（第２の電子ファイル）内における印影のデータの位置座標が、印影を含む文書の電子ファイル（第１の電子ファイル）内における位置座標と一致するように合成して、印影のデータを含む文書の電子ファイル（第３の電子ファイル）を生成する機能である。
【００７７】
生成ファイル転送機能は、前述した電子ファイル生成機能により生成された印影のデータを含む文書の電子ファイル（第３の電子ファイル）をＰＤＦ生成部１ｐに出力する機能である。
【００７８】
ＰＤＦ生成部１ｐは、ＰＤＦファイル生成機能と、ＰＤＦファイル転送機能とを有する。
【００７９】
ＰＤＦファイル生成機能は、印影を含む文書の電子ファイル（第３の電子ファイル）のデータをデータ合成部１oから受け取り、受け取った印影を含む文書の電子ファイル（第３の電子ファイル）のデータをＰＤＦファイルの形式に変換して、印影を含む文書の電子ファイル（第３の電子ファイル）のＰＤＦファイルを生成する機能である。
【００８０】
ＰＤＦファイル転送機能は、前述したＰＤＦファイル生成機能により生成されたＰＤＦファイルのデータを出力部１ｑに対して出力する機能である。
【００８１】
出力部１ｑは、ＰＤＦ生成部１ｐから出力された印影を含む文書のＰＤＦファイルのデータを受け取り、受け取ったＰＤＦファイルのデータを、外部に接続された外部機器に出力する機能を有する。
【００８２】
なお、本実施の形態に係る複合機１に接続される外部機器としては、例えばＣＲＴ(Cathode Ray Tube)ディスプレイ、ＦＥＤ(Field Emission Display)ディスプレイ、ＥＬＤ(Electro Luminescence Display)ディスプレイ等に接続されたパーソナルコンピュータや、ＬＣＤ(Liquid Crystal Display)を有するパーソナルコンピュータ、カラープリンタ等が挙げられる。
【００８３】
なお、本実施の形態に係る複合機１では、印影の存在しない領域の背景色を除去した印影を含む矩形領域（第１の領域）のデータと、印影を含まない文書の電子データ（第２の電子ファイル）とを合成して、印影を含む文書の電子ファイル（第３の電子ファイル）を生成した後、ＰＤＦ形式のファイルに変換して、通信ネットワークを介して接続された外部機器に出力していたが、これに限らず、ビットマップ形式、ＥＰＳＦ形式、ＰＩＣＴ形式等の任意の形式のファイルを生成して外部機器に出力してもよいことは言うまでもない。
【００８４】
次に、以上のように構成された複合機１の実行する実行処理に関して図面を参照して説明する。
【００８５】
図３は、本発明の画像形成装置を適用した複合機１の実行する実行処理を説明するためのフローチャートである。
【００８６】
まず、選択モード判定部１ｅは、パネル部１ａから入力された命令の種別により、操作者の操作によって選択されたモードを判定する（ＳＴ１）。
【００８７】
データ名取得部１ｆは、前述した工程ＳＴ１でパネル部１ａから受け取った命令の種別がファイル登録命令であると判定された場合、換言すれば、操作モードが、印影を含まない文書の電子ファイル（第２の電子ファイル）を登録させるためのファイル登録モードであると判定された場合には（ＳＴ１：Ｍｏｄｅ１）、選択モード判定部１ｅからファイル名のデータを受け取ったかにより、印影を含まない文書の電子ファイル（第２の電子ファイル）のファイル名がパネル部１ａから入力されたかを判定する（ＳＴ２）。
【００８８】
電子文書取得部１ｇは、前述した工程ＳＴ２で印影を含まない電子ファイル（第２の電子ファイル）のファイル名がパネル部１ａ入力されたと判定した場合（ＳＴ２：Ｙｅｓ）、入力インターフェース１ｃから入力された、印影を含まない文書の電子ファイル（第２の電子ファイル）のデータを取得する（ＳＴ３）。
【００８９】
一方、データ名取得部１ｆは、前述した工程ＳＴ２で印影を含まない文書の電子ファイル（第２の電子ファイル）のファイル名がパネル部１ａから入力されていないと判定した場合（ＳＴ２：Ｎｏ）、印影を含まない文書の電子ファイル（第２の電子ファイル）のファイル名が入力されたか否かに関する判定処理を実行する。
【００９０】
工程ＳＴ４では、登録部１ｈは、データ名取得部１ｆから出力された印影を含まない文書の電子ファイル（第２の電子ファイル）のファイル名と、電子文書取得部１ｇから出力された印影を含まない文書の電子ファイル（第２の電子ファイル）のデータとを受け取り、受け取ったファイル名と印影を含まない文書の電子ファイル（第２の電子ファイル）とを対応させてデータ記憶部１ｄに記憶させる。
【００９１】
以上のような一連の処理により、本実施の形態に係る複合機１は、実行中のファイル登録処理を終了する。
【００９２】
一方、データ名取得部１ｆは、前述した工程ＳＴ１で、パネル部１ａから受け取った命令の種別がパターン登録命令であると判定した場合、換言すれば、操作者により選択された操作モードが印影のデータファイルを登録させるためのパターンファイル登録モードであると判定された場合には（ＳＴ１：Ｍｏｄｅ２）、選択モード判定部１ｅからファイル名のデータを受け取ったかにより、印影のデータファイルのファイル名がパネル部１ａから入力されたかを判定する（ＳＴ５）。
【００９３】
電子文書取得部１ｇは、前述した工程ＳＴ５で印影のデータファイルのファイル名がパネル部１ａ入力されたと判定した場合（ＳＴ５：Ｙｅｓ）、入力インターフェース１ｃから入力された、印影のデータファイルのデータを取得する（ＳＴ６）。
【００９４】
一方、データ名取得部１ｆは、前述した工程ＳＴ５で印影のデータファイルのファイル名がパネル部１ａから入力されていないと判定した場合（ＳＴ５：Ｎｏ）、印影のデータファイルのファイル名が入力されたか否かに関する判定処理を実行する。
【００９５】
工程ＳＴ７では、登録部１ｈは、データ名取得部１ｆから出力された印影のデータファイル（第２の電子ファイル）のファイル名と、電子文書取得部１ｇから出力された印影のデータファイルのデータとを受け取り、受け取ったファイル名と印影のデータファイルとを対応させてデータ記憶部１ｄに記憶させる。
【００９６】
なお、本実施の形態に係る複合機１がデータ記憶部１ｄに記憶させる印影のデータファイルのことをパターンデータと呼んでもよい。
【００９７】
以上のような一連の処理により、本実施の形態に係る複合機１は、実行中のパターンファイル登録処理を終了する。
【００９８】
なお、上述の本実施の形態に係る複合機１の実行処理の説明では、説明の便宜上、印影を含まない文書の電子ファイル（第２の電子ファイル）をファイル名と対応させてデータ記憶部１ｄに記憶させた後、印影のデータをファイル名に対応させてデータ記憶部１ｄに記憶させたが、これに限らず、印影のデータをファイル名に対応させてデータ記憶部１ｄに記憶させた後、印影を含まない文書の電子ファイル（第２の電子ファイル）をファイル名と対応させてデータ記憶部１ｄに記憶させてもよいことは言うまでもない。
【００９９】
一方、文書名取得部１ｉは、前述した工程ＳＴ１でパネル部１ａから受け取った命令の種別が電子文書生成命令であると判定された場合、換言すれば、操作モードが、印影の含まない文書の電子ファイル（第２の電子ファイル）と印影のデータとから、印影を含む文書の電子ファイル（第３の電子ファイル）を生成させるための電子文書生成モードであると判定された場合には（ＳＴ１：Ｍｏｄｅ３）、選択モード判定部１ｅからファイル名のデータを受け取ったかにより、印影のデータファイルのファイル名がパネル部１ａから入力されたかを判定する（ＳＴ８）。
【０１００】
データ取得部１ｊは、前述した工程ＳＴ８で印影のデータファイルのファイル名がパネル部１ａから入力されたと判定した場合（ＳＴ８：Ｙｅｓ）、入力されたファイル名を検索キーとしてデータ記憶部１ｄを検索し、検索の結果、ファイル名に対応する印影のデータファイルを読み出す（ＳＴ９）。
【０１０１】
一方、文書名取得部１ｉは、前述した工程ＳＴ８で印影のデータファイルのファイル名がパネル部１ａから入力されていないと判定した場合（ＳＴ８：Ｎｏ）、印影のデータファイルのファイル名が入力されたか否かに関する判定処理を繰り返す。
【０１０２】
工程ＳＴ１０では、文書名取得部は１ｉ、選択モード判定部１ｅからファイル名のデータを受け取ったかにより、印影を含まない文書の電子ファイル（第２の電子ファイル）のファイル名がパネル部１ａから入力されたかを判定する。
【０１０３】
データ取得部１ｊは、前述した工程ＳＴ１０で印影を含まない文書の電子ファイル（第２の電子ファイル）のファイル名がパネル部１ａから入力されたと判定した場合（ＳＴ１０：Ｙｅｓ）、入力されたファイル名を検索キーとしてデータ記憶部１ｄを検索し、検索の結果、ファイル名に対応する印影を含まない文書の電子ファイル（第２の電子ファイル）を読み出す（ＳＴ１１）。
【０１０４】
なお、本実施の形態に係る複合機１では、印影のデータファイルのファイル名が入力されたかに関する判定処理及び印影のデータファイルの読み出し処理を実行した後で、印影を含まない文書の電子ファイル（第２の電子ファイル）のファイル名が入力されたかに関する判定処理及び印影を含まない文書の電子ファイルの読み出し処理を実行していたが、これに限らず、印影を含まない文書の電子ファイルのファイル名が入力されたかに関する判定処理及び印影を含まない文書の電子ファイル（第２の電子ファイル）の読み出し処理を実行した後で、印影のデータファイルのファイル名が入力されたかに関する判定処理及び印影のデータファイルの読み出し処理を実行してもよいことは言うまでもない。
【０１０５】
工程ＳＴ１２では、スキャンデータ取得部１ｌは、出力した取り込み開始命令に応じてスキャナ部１ｂから入力された印影を含む文書の電子ファイル（第１の電子ファイル）のデータを取得する。
【０１０６】
工程ＳＴ１３では、差分データ生成部１ｍは、データコピー部１ｋから出力された印影のデータファイル及び印影を含まない文書の電子ファイル（第２の電子文書）と、スキャンデータ取得部１ｌから出力された印影を含む文書の電子ファイル（第１の電子ファイル）とを受け取り、印影のデータファイルと、スキャンデータ取得部１ｌから受け取った印影を含む文書の電子ファイル（第１の電子ファイル）とのマッチング処理を実行して、印影のデータと一致するデータが、印影を含む文書の電子ファイル（第１の電子ファイル）内にあるかを判定する。
【０１０７】
差分データ生成部１ｍは、前述した工程ＳＴ１３で、印影のデータと一致するデータが、印影を含む文書の電子ファイル（第１の電子ファイル）内にあると判定された場合（ＳＴ１３：Ｙｅｓ）、印影を含む文書の電子ファイル（第１の電子ファイル）内における印影のデータの位置座標を特定する（ＳＴ１４）。
【０１０８】
一方、差分データ生成部１ｍは、前述した工程ＳＴ１３で、印影のデータと一致するデータが、印影を含む文書の電子ファイル（第１の電子ファイル）内にないと判定された場合（ＳＴ１３：Ｎｏ）、そのまま実行処理を終了する。
【０１０９】
工程ＳＴ１５では、差分データ生成部１ｍは、データコピー部１ｋから受け取った印影を含まない文書の電子ファイル（第２の電子ファイル）のデータと、スキャンデータ取得部１ｌから受け取った印影を含む文書の電子ファイル（第１の電子ファイル）との画像間演算を実行して印影のデータを含む差分画像を取得し、取得した差分画像と、特定済みの印影の位置座標とから印影のデータを含む矩形領域（第１の領域）のデータを切り出す。
【０１１０】
本実施の形態に係る複合機１では、工程ＳＴ１３乃至工程ＳＴ１５における実行処理が印影データ切り出し手段に該当する。
【０１１１】
なお、本実施の形態に係る差分データ生成部１ｍは、印影を含む矩形データを切り出していたが、これに限らず、差分データ生成部１ｍが切り出す領域は、印影を含むものであれば、正方形、円形、楕円形、略多角形形状等の任意の形状であってもよい。ここで多角形には、凸多角形及び凹多角形を包含するものとする。
【０１１２】
なお、本実施の形態に係る差分データ生成部１ｍは、例えば、スキャンデータ取得部１ｌから受け取った印影を含む文書の電子ファイル（第１の電子ファイル）のデータと、データコピー部１ｋから受け取った印影を含まない文書の電子ファイル（第２の電子ファイル）のデータとの画像間演算を実行した後、得られた差分画像と印影のデータファイルのデータとのマッチング処理を実行して、印影のデータと一致するデータが得られた差分画像内にあるかを判定し、当該判定の結果、印影のデータと一致するデータが差分画像内にあると判定した場合に、当該印影のデータを含む矩形領域（第１の領域）のデータを、前述した差分画像から切り出してもよいことは言うまでもない。
【０１１３】
工程ＳＴ１６では、データ加工部１ｎは、差分データ生成部１ｍから出力された印影のデータを含む矩形領域（第１の領域）のデータと、特定した印影のデータの印影を含む文書の電子ファイル（第１の電子ファイル）内における位置座標との組を受け取り、印影のデータを含む矩形領域（第１の領域）のデータから、この矩形領域（第１の領域）内に含まれ、印影の存在しない領域（第２の領域）、換言すれば、矩形領域（第１の領域）内に含まれ、印影の外枠よりも外側の領域（第２の領域）の背景色を除去する（背景色除去手段）。
【０１１４】
例えば、図４に示すような印影のデータを含む矩形領域K（第１の領域）が差分データ生成部１ｍによって、印影を含む文書の電子ファイル（第１の電子ファイル）から切り出されていた場合には、本実施の形態に係るデータ加工部１ｎは、印影のデータを含む矩形領域K（第１の領域）に含まれ、印影の存在しない印影の外枠OLよりも外側にある領域、図４の斜線を付した領域の背景色を除去することになる。
【０１１５】
なお、本実施の形態に係るデータ加工部１ｎは、差分データ生成部１ｍから出力された印影のデータを含む矩形領域（第１の領域）のデータと、特定した印影のデータの印影を含む文書の電子ファイル（第１の電子ファイル）内における位置座標との組を受け取り、印影のデータを含む矩形領域（第１の領域）のデータから、この矩形領域（第１の領域）内に含まれ、印影の存在しない領域（第２の領域）、換言すれば、矩形領域（第１の領域）内に含まれ、印影の外枠よりも外側の領域（第２の領域）の背景色を除去していたが、これに限らず、印影のデータを含む矩形領域（第１の領域）に含まれ、印影の外枠の外側にある領域（第２の領域）と、印影の外枠の内側で、かつ、印鑑の字体が形成されていない領域の背景色のデータを除去してもよいことは言うまでもない。
【０１１６】
工程ＳＴ１７では、データ合成部１ｏは、背景色を除去した印影を含む矩形領域（第１の領域）のデータと、印影のデータを含まない文書の電子ファイル（第２の電子ファイル）のデータとを、この印影のデータを含まない文書の電子ファイル（第２の電子ファイル）内における印影のデータの位置座標が、印影を含む文書の電子ファイル（第１の電子ファイル）内における位置座標と一致するように合成して、印影のデータを含む文書の電子ファイル（第３の電子ファイル）を生成する（電子ファイル生成手段）。
【０１１７】
工程ＳＴ１８では、ＰＤＦ生成部１ｐは、印影のデータを含む文書の電子ファイル（第３の電子ファイル）のデータをデータ合成部１ｏから受け取り、受け取った文書の電子ファイル（第３の電子ファイル）のデータをＰＤＦファイルの形式に変換して、印影を含む文書のＰＤＦファイルを生成する。
【０１１８】
工程ＳＴ１９では、出力部１ｑは、ＰＤＦ生成部１ｐから出力された印影を含む文書のＰＤＦファイルのデータを受け取り、受け取ったＰＤＦファイルのデータを、外部に接続された外部機器に出力する。
【０１１９】
以上のような一連の処理により、本実施の形態に係る複合機１は、実行中の電子文書生成処理を終了する。
【０１２０】
本実施の形態に係る複合機１によれば、差分データ生成部１ｍによって切り出された矩形領域（第１の領域）に含まれ、印影の存在しない、印影の外枠の外側の領域の背景色がデータ加工部１ｎにより除去され、データ加工部１ｎにより背景色の除去された印影のデータを含む矩形領域（第１の領域）のデータと、印影のデータを含まない文書の電子ファイル（第２の電子ファイル）のデータとが、印影のデータを含まない文書の電子ファイル（第２の電子ファイル）内における印影のデータの位置座標が、印影を含む文書の電子ファイル（第１の電子ファイル）内における位置座標と一致するように合成されて、印影のデータを含む文書の電子ファイル（第３の電子ファイル）がデータ合成部１ｏによって生成されるので、プリントアウトした文書に変更を加えた文書をスキャンする作業が繰り返される環境下であっても、電子ファイル内の印影のデータの周縁に発生する背景色の黄ばみやごみ印字の発生を防止して電子ファイル内の印影が見にくくなることを防止することが可能になる。
【０１２１】
なお、上記実施の形態に係る画像形成プログラムは、コンピュータにインストールされた、アプリケーションプログラム、OS、ブラウザー、ミドルウェア等によってその機能が実現されるものであってもよい。
【０１２２】
なお、上述した各実施の形態に示す手法は、コンピュータにより読み出して実行させることの出来るプログラムとして磁気ディスク（フロッピー（登録商標）ディスク、ハードディスクドライブ等）、光ディスク（ＣＤ−ＲＯＭ、ＤＶＤ、ＢＤ（Blu-ray Disk）−ＲＯＭ(Read Only Memory:再生専用型)、ＢＤ(Blu-ray Disk)−Ｒ(Recordable:１回限定追記型)、ＢＤ(Blu-ray Disk)−ＲＥ（Rewritable:書き換え型）等）、光磁気ディスク（ＭＯ）、半導体メモリ、ホログラフィックメモリ等の記録媒体に格納して頒布することによりユーザーに提供することが出来る。
【０１２３】
また、本発明の画像形成プログラムの提供手法としては、例えば画像形成プログラムを記録媒体に記録させた状態でユーザーに頒布する手法や、例えばインターネット等の通信ネットワークを介してユーザーの保有するコンピュータに送信し、送信したプログラムをコンピュータにインストールさせる手法、無線を用いて提供する手法等が上げられる。また、本実施の形態に係る画像形成プログラムを提供する手法としては、いわゆる周知のＡＳＰ（Application Service Provider）による手法によってもよいことはいうまでもない。
【０１２４】
また、上記各実施の形態に係る画像形成プログラムは、一般的な高級言語、例えばＣ言語、Delphi、ＸＴＬ、Perl（Practical Extraction and Report Language）XML(eXtensible Markup Language)や、オブジェクト指向言語（C++、JAVA（登録商標）、C＃、JAVA2、Small Talk）等の任意のプログラム言語で作成されたものであってもよい。
【０１２５】
また、本発明に関して記録媒体としては、プログラムを記録でき、かつ、コンピュータが読み取り可能な記録媒体であれば、記録形式はいかなる形式であっても、例えば、磁気テープ、半導体フラッシュメモリ、フロッピー（登録商標）ディスク、ＣＤ−ＲＯＭ、ＣＤ−Ｒ／ＲＷ、ＤＶＤ−ＲＯＭ、ＤＶＤ−ＲＡＭ、ＤＶＤ−Ｒ／−ＲＷ、ＤＶＤ+Ｒ／＋ＲＷ、ＭＯ、ホログラフィックメモリ、ＢＤ−ＲＯＭ、ＢＤ−Ｒ、ＢＤ−ＲＥ等のいずれの形態であってもよい。
【０１２６】
更に、本発明の記録媒体は、コンピュータと独立した媒体に限らず、ＬＡＮ、ＷＡＮ、イントラネット、及びインターネット等の通信ネットワークを介して記憶又は一時記憶した媒体であってもよい。
【０１２７】
また、本発明では、記録媒体の種類及び数は、ひとつである必要は無く、同一の形態または形態の異なる複数の記録媒体の組み合わせからなっていてもよいことはいうまでもない。
【０１２８】
また、本発明は、上述した各機能を実現するプログラムを構成するのに必要不可欠なデータ構造、加工用プログラム、及び上記加工用プログラムが機能する各種ハードウェアを
包含する。
【０１２９】
なお、上記加工用プログラムは、一般的な高級言語、例えばＣ言語、Delphi、ＸＴＬ、Perl（Practical Extraction and Report Language）XML(eXtensible Markup Language)や、オブジェクト指向言語（C++、JAVA、C＃、JAVA2、Small Talk）等の任意のプログラム言語で作成されたものであってもよい。
【０１３０】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【０１３１】
その他、本発明は、その要旨を逸脱しない範囲内で種々変更して実施することが出来る。
【図面の簡単な説明】
【０１３２】
【図１】本発明の画像形成装置を適用した複合機１の一例を示す機能ブロック図である。
【図２】本実施の形態に係るデータ記憶部１ｄが有するファイル名記憶テーブル１ｄ１の一例を示す図である。
【図３】本発明の画像形成装置を適用した複合機１の実行する実行処理を説明するためのフローチャートである。
【図４】本実施の形態に係るデータ加工部１ｎが実行する背景色除去処理に関して説明するための模式図。
【符号の説明】
【０１３３】
１…複合機、１ａ…パネル部、１ｂ…スキャナ部、１ｃ…入力インターフェース、１ｄ…データ記憶部、１ｅ…選択モード判定部、１ｆ…データ名取得部、１ｇ…電子文書取得部、１ｈ…登録部、１ｉ…文書名取得部、１ｊ…データ取得部、１ｋ…データコピー部、１ｌ…スキャンデータ取得部、１ｍ…差分データ生成部、１ｎ…データ加工部、１o…データ合成部、１ｐ…ＰＤＦ生成部、１ｑ…出力部
【図１】
2008271445.tif 000003
【図２】
2008271445.tif 000004
【図３】
2008271445.tif 000005
【図４】
2008271445.tif 000006